(57)【要約】【課題】特殊な作業を必要とせずに接続部の位置決めを行うことができ、柱を容易に接続することができる柱接続構造を提供する。【解決手段】第１の柱１０と、前記第１の柱１０の端部に取り付けられる柱間キャップ３０と、前記第１の柱１０の端部に接続される第２の柱２０と、前記第１の柱１０及び前記第２の柱２０にまたがって配置されて両者を結合する柱接続金具４０と、を備える。前記第１の柱１０の端部に前記柱間キャップ３０を取り付けたときに前記柱間キャップ３０によってスリット５０が形成され、前記スリット５０に前記柱接続金具４０を挿入するとともに、前記柱接続金具４０の端部４６を前記第１の柱１０の内側に当接させることで前記柱接続金具４０が位置決めされる。【選択図】図５
2014125845.tif 000002
【特許請求の範囲】
【請求項１】
２本の柱を斜めに接続するための柱接続構造であって、
第１の柱と、
前記第１の柱の端部に取り付けられる柱間キャップと、
前記第１の柱の端部に接続される第２の柱と、
前記第１の柱及び前記第２の柱にまたがって配置されて両者を結合する柱接続金具と、
を備え、
前記第１の柱の端部に前記柱間キャップを取り付けたときに前記柱間キャップによってスリットが形成され、
前記スリットに前記柱接続金具を挿入するとともに、前記柱接続金具の端部を前記第１の柱の内側に当接させることで前記柱接続金具が位置決めされることを特徴とする、柱接続構造。
【請求項２】
前記柱間キャップは、前記第１の柱の端部断面を覆う板状部を備えていることを特徴とする、請求項１記載の柱接続構造。
【請求項３】
前記柱接続金具は裏板を備えていることを特徴とする、請求項１又は２記載の柱接続構造。
【請求項４】
前記第１の柱はウェブの両側にフランジを形成した断面略Ｈ形であり、２つの前記柱間キャップを前記第１の柱のウェブの両側に装着して前記第１の柱のウェブの両側に前記スリットを形成したことを特徴とする、請求項１〜３のいずれかに記載の柱接続構造。
【発明の詳細な説明】
【技術分野】
【０００１】
この発明は、２本の柱を斜めに接続するための柱接続構造に関する。
【背景技術】
【０００２】
２本の柱を斜めに接続するための柱接続構造として、特許文献１には、第１の鋼製梁と第２の鋼製梁とを所定の折れ角で長さ方向に突き合わせて接合する接合部を有する鋼製折れ梁が開示されている。この特許文献１記載の技術においては、第１の鋼製梁と第２の鋼製梁との間に接合端面をほぼ覆う大きさの四角形の接合プレートを介在させ、第１の鋼製梁と第２の鋼製梁とをそれぞれ接合プレートに溶接することとし、接合プレートを用いることで接合部の位置合わせを容易としている。
【先行技術文献】
【特許文献】
【０００３】
【特許文献１】特開平１０−４６６７８号公報
【発明の概要】
【発明が解決しようとする課題】
【０００４】
しかし、上記した特許文献１記載の技術では、溶接が発生するため作業が困難であった。また、アルミ押し型材を接続する場合など、それほど強度が求められない構造においては、必要以上に強度を増してもコストの増加に繋がるという問題があった。
【０００５】
そこで、本発明は、特殊な作業を必要とせずに接続部の位置決めを行うことができ、柱を容易に接続することができる柱接続構造を提供することを課題とする。
【課題を解決するための手段】
【０００６】
本発明は、上記した課題を解決するためになされたものであり、以下を特徴とする。
【０００７】
（請求項１）
請求項１に記載の柱接続構造は、２本の柱を斜めに接続するための柱接続構造であって、第１の柱と、前記第１の柱の端部に取り付けられる柱間キャップと、前記第１の柱の端部に接続される第２の柱と、前記第１の柱及び前記第２の柱にまたがって配置されて両者を結合する柱接続金具と、を備え、前記第１の柱の端部に前記柱間キャップを取り付けたときに前記柱間キャップによってスリットが形成され、前記スリットに前記柱接続金具を挿入するとともに、前記柱接続金具の端部を前記第１の柱の内側に当接させることで前記柱接続金具が位置決めされることを特徴とする。
【０００８】
（請求項２）
請求項２に記載の発明は、上記した請求項１記載の発明の特徴点に加え、以下の点を特徴とする。
【０００９】
すなわち、前記柱間キャップは、前記第１の柱の端部断面を覆う板状部を備えていることを特徴とする。
【００１０】
（請求項３）
請求項３に記載の発明は、上記した請求項１又は２記載の発明の特徴点に加え、以下の点を特徴とする。
【００１１】
すなわち、前記柱接続金具は裏板を備えていることを特徴とする。
【００１２】
（請求項４）
請求項４に記載の発明は、上記した請求項１〜３のいずれかに記載の発明の特徴点に加え、以下の点を特徴とする。
【００１３】
すなわち、前記第１の柱はウェブの両側にフランジを形成した断面略Ｈ形であり、２つの前記柱間キャップを前記第１の柱のウェブの両側に装着して前記第１の柱のウェブの両側に前記スリットを形成したことを特徴とする。
【発明の効果】
【００１４】
請求項１に記載の発明は上記の通りであり、柱間キャップを取り付けることで形成されたスリットに柱接続金具を挿入するとともに、柱接続金具の端部を第１の柱の内側に当接させることで柱接続金具が位置決めされるので、柱間キャップと柱接続金具とによって容易に取り付け位置が決まり、柱の接続を容易に行うことができる。
【００１５】
また、請求項２に記載の発明は上記の通りであり、前記柱間キャップは、前記第１の柱の端部断面を覆う板状部を備えているので、柱間キャップによって小口隠しを行うことができ、接続部の断面のずれなどを隠すことができる。
【００１６】
また、請求項３に記載の発明は上記の通りであり、前記柱接続金具は裏板を備えているため、柱接続金具を直接的に第１の柱及び第２の柱に固定する必要がないので、あそびを持たせることで第１の柱と第２の柱との位置を微調整することができる。
【００１７】
また、請求項４に記載の発明は上記の通りであり、前記第１の柱はウェブの両側にフランジを形成した断面略Ｈ形であり、２つの前記柱間キャップを前記第１の柱のウェブの両側に装着して前記第１の柱のウェブの両側に前記スリットを形成したので、ウェブの両側に柱接続金具を取り付け可能となっており、接続位置のずれが起きにくく、また、接続強度を向上させることができる。
【図面の簡単な説明】
【００１８】
【図１】本発明に係る柱接続構造を使用した日よけ構造体の外観図である。
【図２】柱接続構造の分解斜視図である。
【図３】柱接続構造を別の方向から見た分解斜視図である。
【図４】垂直枠部材（第１の柱）と柱間キャップとの関係を示す底面図であって、（ａ）柱間キャップを取り付ける前の図、（ｂ）柱間キャップを取り付けた後の図である。
【図５】スリットに柱接続金具を挿入する様子を示す外観図である。
【図６】垂直枠部材（第１の柱）及び傾斜枠部材（第２の柱）と柱接続金具との関係を示す側面図（柱間キャップを省略）である。
【発明を実施するための形態】
【００１９】
本発明の実施形態について、本発明に係る柱接続構造を使用した日よけ構造体Ａを例に、図を参照しながら説明する。
【００２０】
本実施形態に係る日よけ構造体Ａは、建物の外側に屋根部と目隠し部とを形成するものであり、図１に示すように、垂直枠部材１０（第１の柱）と、傾斜枠部材２０（第２の柱）と、横桟部材２４と、備えて構成されている。
【００２１】
垂直枠部材１０は、図１に示すように、建物の壁面Ｂに対して略平行に、地上面に対して略垂直に立設されている。この垂直枠部材１０は、所定の間隔を設けて複数（本実施形態においては４本）設けられており、隣り合う垂直枠部材１０の間に水平に複数の横桟部材２４を配置することで目隠し部を形成している。
【００２２】
傾斜枠部材２０は、垂直枠部材１０の上端に接続される部材であり、上方に行くに従って建物の壁面Ｂに近づくように傾斜して設けられている。なお、傾斜枠部材２０の上端は建物の壁面Ｂに固定されている。この傾斜枠部材２０は、垂直枠部材１０と同様に所定の間隔を設けて複数（本実施形態においては４本）設けられており、隣り合う傾斜枠部材２０の間に水平に複数の横桟部材２４を配置することで屋根部を形成している。
【００２３】
横桟部材２４は、中空のルーバー材であり、同一断面形状の複数の部材が一定の間隔を設けて垂直枠部材１０及び傾斜枠部材２０に固定されている。この横桟部材２４は、内部に設けられたビスホールを使用して垂直枠部材１０及び傾斜枠部材２０に固定されるようになっており、このビスホールの位置を垂直枠部材１０及び傾斜枠部材２０に予め穿設されたビス孔に合わせることで、垂直枠部材１０及び傾斜枠部材２０への取り付け位置が決まるように形成されている。
【００２４】
上記した垂直枠部材１０と傾斜枠部材２０とは、図２及び図３に示すように、いずれもウェブ１３、２２の両側にフランジ１１、２１を形成した断面略Ｈ形であり、柱間キャップ３０と、柱接続金具４０と、ネジ５１とを使用して互いに接続される。
【００２５】
柱間キャップ３０は、垂直枠部材１０の上端部にスライド嵌入されて取り付けられる部材であり、本実施形態においては樹脂製の部材である。この柱間キャップ３０は、図２〜４に示すように、垂直枠部材１０と傾斜枠部材２０との接続端部を覆うように配置される板状部３１と、この板状部３１の下方に断面略Ｈ型に突出形成された脚部３３と、を備えている。
【００２６】
板状部３１は、垂直枠部材１０及び傾斜枠部材２０の端部面積の約半分を覆う大きさで形成されている。この板状部３１は、図４に示すように、垂直枠部材１０のウェブ１３に臨む側縁部に切欠き３２を備えている。この切欠き３２は、柱間キャップ３０を垂直枠部材１０に取り付けたときに、垂直枠部材１０のウェブ１３との間にスリット５０を形成するためのものである。
【００２７】
脚部３３は、垂直枠部材１０の両側のフランジ１１の間に差し込まれる部位である。この脚部３３の一側部には垂直枠部材１０の一方のフランジ１１の内面に当接する第１押え片３４が形成されており、他側部には垂直枠部材１０の他方のフランジ１１の内面に当接する第２押え片３６が形成されている。この第１押え片３４及び第２押え片３６は、垂直枠部材１０の両側のフランジ１１に対して略平行な当接面を有しており、垂直枠部材１０の上端から脚部３３を挿入したときにスライド嵌入を案内するように形成されている。なお、第１押え片３４におけるフランジ１１との当接面には凹凸形状の係合部３５が形成されている。この係合部３５は、垂直枠部材１０のフランジ１１の内面に設けられた凹部１２と係合するものであり、係合部３５と凹部１２とが係合することで柱間キャップ３０が垂直枠部材１０から外れないように形成されている。
【００２８】
柱接続金具４０は、垂直枠部材１０と傾斜枠部材２０とにまたがって配置されて両者を結合する平板な金属板である。この柱接続金具４０は、図２〜４に示すように、傾斜枠部材２０にオーバーラップするように配置されて傾斜枠部材２０に固定される上部接続部４１と、垂直枠部材１０にオーバーラップするように配置されて垂直枠部材１０に固定される下部接続部４４と、を備えている。なお、上部接続部４１は下部接続部４４よりもやや幅広に形成されており、このため、上部接続部４１と下部接続部４４との間には段部４７が形成されている。
【００２９】
上部接続部４１は、傾斜枠部材２０のフランジ２１の間隔と略等しい幅で形成されており、両側の側縁部４３が傾斜枠部材２０のフランジ２１に沿って摺動可能となっている。また、下部接続部４４は、垂直枠部材１０のフランジ２１の間に斜めに差し込まれるようになっており、差し込んだときに、垂直枠部材１０の一方のフランジ２１に突き当たる突き当て部４６を有している。この突き当て部４６は、フランジ２１と略平行に形成されている。
【００３０】
上記した柱間キャップ３０及び柱接続金具４０を使用して垂直枠部材１０と傾斜枠部材２０とを接続する手順は以下の通りである。
【００３１】
まず、垂直枠部材１０の上端部に柱間キャップ３０を取り付ける。このとき、垂直枠部材１０のウェブ１３の両側に、それぞれ柱間キャップ３０を取り付ける。これにより、図４（ｂ）及び図５に示すように、垂直枠部材１０の上端面が板状部３１によって覆われる。また、柱間キャップ３０が取り付けられることで、垂直枠部材１０のウェブ１３の両側にスリット５０が形成される。
【００３２】
そして、図５に示すように、垂直枠部材１０のウェブ１３の両側のスリット５０に、それぞれ柱接続金具４０を差し込む。なお、スリット５０の幅は柱接続金具４０の下部接続部４４の幅と略同じに形成されており、スリット５０によって柱接続金具４０の挿入がガイドされるようになっている。スリット５０によってガイドされた柱接続金具４０は、端部の突き当て部４６が垂直枠部材１０のフランジ１１の内側に当接するまで挿入される。突き当て部４６が垂直枠部材１０のフランジ１１に当接するまで柱接続金具４０が完全に挿入されると、柱接続金具４０の段部４７が柱間キャップ３０の板状部３１の上に載った状態となり、柱接続金具４０が安定した状態で垂直枠部材１０に取り付けられる。
【００３３】
垂直枠部材１０に柱接続金具４０を取り付けたら、柱接続金具４０の上部接続部４１に装着するように傾斜枠部材２０を取り付ける。すると、図６に示すように、上部接続部４１の側縁部４３が傾斜枠部材２０のフランジ２１に係合し、傾斜枠部材２０の位置が決まる。このように垂直枠部材１０と傾斜枠部材２０との位置が決まったら、ネジ５１によって接続を固定する。
【００３４】
ネジ５１による接続は、具体的には、傾斜枠部材２０のウェブ２２に設けられた貫通孔２３と、２枚の柱接続金具４０の上部接続部４１に設けられたネジ孔４２と、を貫通するようにネジ５１を取り付けて傾斜枠部材２０と柱接続金具４０とを固定し、垂直枠部材１０のウェブ１３に設けられた貫通孔１４と、２枚の柱接続金具４０の下部接続部４４に設けられたネジ孔４５と、を貫通するようにネジ５１を取り付けて垂直枠部材１０と柱接続金具４０とを固定する。このとき、２枚の柱接続金具４０は互いに対向するように設けられているため、一方の柱接続金具４０が他方の柱接続金具４０の裏板として機能するようになっている。
【００３５】
以上説明したように、本実施形態によれば、柱間キャップ３０を取り付けることで形成されたスリット５０に柱接続金具４０を挿入するとともに、柱接続金具４０の端部を垂直枠部材１０の内側に当接させることで柱接続金具４０が位置決めされるので、柱間キャップ３０と柱接続金具４０とによって容易に取り付け位置が決まり、柱の接続を容易に行うことができる。
【００３６】
また、前記柱間キャップ３０は、前記垂直枠部材１０の端部断面を覆う板状部３１を備えているので、柱間キャップ３０によって小口隠しを行うことができ、接続部の断面のずれなどを隠すことができる。
【００３７】
また、前記柱接続金具４０は裏板を備えているため、柱接続金具４０を直接的に垂直枠部材１０及び傾斜枠部材２０に固定する必要がないので、あそびを持たせることで垂直枠部材１０と傾斜枠部材２０との位置を微調整することができる。
【００３８】
また、前記垂直枠部材１０はウェブの両側にフランジを形成した断面略Ｈ形であり、２つの前記柱間キャップ３０を前記垂直枠部材１０のウェブ１３の両側に装着して前記垂直枠部材１０のウェブ１３の両側に前記スリット５０を形成したので、ウェブ１３の両側に柱接続金具４０を取り付け可能となっており、接続位置のずれが起きにくく、また、接続強度を向上させることができる。
【００３９】
なお、上記した実施形態においては、同一形状の柱接続金具４０を２つ使用し、一方を他方の裏板として使用したが、これに限らず、柱接続金具４０とは異なる形状の裏板を使用してもよい。また、裏板を使用しないようにしてもよい。
【００４０】
また、上記した実施形態においては、同一形状の柱間キャップ３０を２つ使用したが、これに限らず、柱間キャップ３０を１つだけ使用するようにしてもよい。
【符号の説明】
【００４１】
１０  垂直枠部材（第１の柱）
１１  フランジ
１２  凹部
１３  ウェブ
１４  貫通孔
２０  傾斜枠部材（第２の柱）
２１  フランジ
２２  ウェブ
２３  貫通孔
２４  横桟部材
３０  柱間キャップ
３１  板状部
３２  切欠き
３３  脚部
３４  第１押え片
３５  係合部
３６  第２押え片
４０  柱接続金具
４１  上部接続部
４２  ネジ孔
４３  側縁部
４４  下部接続部
４５  ネジ孔
４６  突き当て部
４７  段部
５０  スリット
５１  ネジ
Ａ  日よけ構造体
Ｂ  壁面
【図１】
2014125845.tif 000003
【図２】
2014125845.tif 000004
【図３】
2014125845.tif 000005
【図４】
2014125845.tif 000006
【図５】
2014125845.tif 000007
【図６】
2014125845.tif 000008